(57)【要約】【課題】データ放送されたイベントを参照することによって、所望のシーンからの再生を容易にする。【解決手段】デジタルテレビ放送されたコンテンツを記憶させる録画部２１は、そのコンテンツをコンテンツ記憶部２２に記憶させる他に、映像信号と音声信号とに併せて放送されたデータ信号中で送信されたイベントと、そのイベントが送信された近隣で送信された映像信号とを対応付けた付加情報をコンテンツ記憶部２２に記憶させる。再生部２３は、イベントが指定されると、付加情報を参照して、そのイベントと対応づけて記憶された映像信号以降の信号を再生する。【選択図】図１
2008172408.tif 000002
【特許請求の範囲】
【請求項１】
映像信号と、音声信号と、メッセージ信号と、そのメッセージ信号を表示させる指示で
あるイベント信号とからなる放送コンテンツを受信する受信手段と、
前記受信手段によって前記イベント信号が受信された場合、そのイベント信号を識別する
情報と、そのイベント信号が受信された時刻、またはその時刻の近隣の時刻に前記受信手
段によって受信された前記映像信号及び／または前記音声信号を識別する情報とを関連付
けた付加情報を作成する付加情報作成手段と、
前記受信手段によって受信された放送コンテンツと、前記付加情報作成手段によって作成
された付加情報とを記憶手段に記憶させる録画手段と
を有することを特徴とする放送コンテンツ録画装置。
【請求項２】
前記映像信号と、音声信号と、メッセージ信号及びそのメッセージ信号を表示させる指
示であるイベント信号とは、それぞれ異なるパケットとして放送され、
前記信号を識別する情報とは、その信号が含まれる前記パケットを識別する情報である
ことを特徴とする請求項１に記載の放送コンテンツ録画装置。
【請求項３】
記憶手段に記憶された映像信号と、音声信号と、メッセージ信号と、そのメッセージ信
号を表示させる指示であるイベント信号とからなる放送コンテンツ、及び前記イベント信
号を識別する情報を読み出す読み出し手段と、
前記読み出し手段を制御して少なくとも前記イベント信号を識別する情報を読み出させ、
そのイベント信号を識別する情報を検索キーとして、前記読み出された放送コンテンツか
らそのイベント信号が放送された時刻、またはその時刻の近隣の時刻に放送された前記映
像信号及び／または前記音声信号を識別する情報を検索する検索手段と、
前記検索手段によって検索された情報によって識別される映像信号及び／または前記音声
信号以降に放送された放送コンテンツの少なくとも前記映像信号及び前記音声信号を、前
記読み出し手段を制御して読み出させ、その読み出された信号を再生する再生手段と
を有することを特徴とするコンテンツ再生装置。
【請求項４】
記憶手段に記憶された映像信号と、音声信号と、メッセージ信号と、そのメッセージ信
号を表示させる指示であるイベント信号とからなる放送コンテンツ、ならびに、前記イベ
ント信号を識別する情報と、前記映像信号及び／または前記音声信号を識別する情報とを
関連付けた付加情報を読み出す読み出し手段と、
前記読み出し手段を制御して前記付加情報を読み出させ、前記イベント信号を識別する情
報を検索キーとして、前記読み出された付加情報から前記映像信号及び／または前記音声
信号を識別する情報を検索する検索手段と、
前記検索手段によって検索された情報によって識別される映像信号及び／または前記音声
信号以降に放送された放送コンテンツの少なくとも前記映像信号及び前記音声信号を、前
記読み出し手段を制御して読み出させ、その読み出された信号を再生する再生手段と
を有することを特徴とするコンテンツ再生装置。
【請求項５】
前記映像信号と、音声信号と、メッセージ信号及びそのメッセージ信号を表示させる指
示であるイベント信号とは、それぞれ異なるパケットとして前記記憶手段に記憶され、
前記信号を識別する情報とは、その信号が含まれる前記パケットを識別する情報である
ことを特徴とする請求項３または請求項４に記載のコンテンツ再生装置。
【発明の詳細な説明】
【技術分野】
【０００１】
本発明は、放送コンテンツ録画装置及びコンテンツ再生装置に係り、特に録画されたコ
ンテンツを所望のシーンから再生する処理に関する。
【背景技術】
【０００２】
テレビ放送されたコンテンツを録画し、その録画されたコンテンツを再生する際、所望
のシーンから再生するために、早送りや、巻き戻しの処理が知られている。しかし、これ
らの処理によって所望のシーンから再生させるためには、試行錯誤が避けられない。
【０００３】
なお、以後、コンテンツとは、放送された、または録画された任意の単位であって、必
ずしも１つのテレビ番組のことを意味しない。１つのテレビ番組の一部であっても良く、
また、連続する複数のテレビ番組であっても良い。また、放送は、データ通信や、記憶媒
体からの読み出しを含む。
【０００４】
そこで、各種のデータが映像信号及び音声信号に併せて放送されるデジタル方式のテレ
ビ放送の録画の再生に際し、録画されたコンテンツの開始からの時間を指定し、その指定
された時間からコンテンツを再生する処理が知られている（例えば、特許文献１参照。）
。
【特許文献１】特開２００６−１００９９０号公報（第２頁、図２）
【発明の開示】
【発明が解決しようとする課題】
【０００５】
しかしながら、上述した特許文献１に開示されている方法では、所望のシーンから再生
することが困難である問題点が解決されていない。なぜなら、録画開始からそのシーンま
での経過時間を指定する必要がある。ところが、その経過時間は、再生装置の使用者は記
憶していない場合が多く、また、再生装置がその経過時間を判断することはできないから
である。
【０００６】
本発明は、上記問題点を解決するためになされたもので、データ放送されたイベントを
参照することによって所望のシーンからの再生が容易である放送コンテンツ録画装置及び
コンテンツ再生装置を提供することを目的とする。
【課題を解決するための手段】
【０００７】
上記目的を達成するために、本発明の放送コンテンツ録画装置は、映像信号と、音声信
号と、メッセージ信号と、そのメッセージ信号を表示させる指示であるイベント信号とか
らなる放送コンテンツを受信する受信手段と、前記受信手段によって前記イベント信号が
受信された場合、そのイベント信号を識別する情報と、そのイベント信号が受信された時
刻、またはその時刻の近隣の時刻に前記受信手段によって受信された前記映像信号及び／
または前記音声信号を識別する情報とを関連付けた付加情報を作成する付加情報作成手段
と、前記受信手段によって受信された放送コンテンツと、前記付加情報作成手段によって
作成された付加情報とを記憶手段に記憶させる録画手段とを有することを特徴とする。
【０００８】
また、本発明のコンテンツ再生装置は、記憶手段に記憶された映像信号と、音声信号と
、メッセージ信号と、そのメッセージ信号を表示させる指示であるイベント信号とからな
る放送コンテンツ、及び前記イベント信号を識別する情報を読み出す読み出し手段と、前
記読み出し手段を制御して少なくとも前記イベント信号を識別する情報を読み出させ、そ
のイベント信号を識別する情報を検索キーとして、前記読み出された放送コンテンツから
そのイベント信号が放送された時刻、またはその時刻の近隣の時刻に放送された前記映像
信号及び／または前記音声信号を識別する情報を検索する検索手段と、前記検索手段によ
って検索された情報によって識別される映像信号及び／または前記音声信号以降に放送さ
れた放送コンテンツの少なくとも前記映像信号及び前記音声信号を、前記読み出し手段を
制御して読み出させ、その読み出された信号を再生する再生手段とを有することを特徴と
する。
【発明の効果】
【０００９】
本発明によれば、データ放送されたイベントを参照することによって所望のシーンから
の再生が容易である放送コンテンツ録画装置及びコンテンツ再生装置を提供することがで
きる。
【発明を実施するための最良の形態】
【００１０】
以下に、本発明による放送コンテンツ録画装置及びコンテンツ再生装置の実施の形態を
、図面を参照して説明する。図１は、本発明の実施形態に係る放送コンテンツ録画装置及
びコンテンツ再生装置が適用されたテレビ放送受信装置の構成を示すブロック図である。
【００１１】
このテレビ放送受信装置は、装置の各部を制御する制御部１１と、入力装置１２と、ア
ンテナ１３ａと、チューナ部１３と、ＤＥＭＵＸ（Demultiplex）部１４と、デコーダ部
１５と、ＤＳＭＣＣ（Digital Storage Media Command and Control）部１６と、ブラウ
ザ部１７と、表示部１８ａと、各部から送信される音声信号から音声を発生させるスピー
カ１８ｂと、録画部２１と、コンテンツ記憶部２２と、再生部２３とからなる。
【００１２】
コンテンツ記憶部２２には、コンテンツ２２ａと、付加情報２２ｂとが記憶される。コ
ンテンツ２２ａは、後に詳述するように、テレビ放送されたコンテンツであって、トラン
スポートストリームを構成する複数のＴＳパケットを用いて送信される。一方、付加情報
２２ｂは、コンテンツ２２ａに含まれるイベントを参照して作成された情報である。そし
てコンテンツ２２ａと付加情報２２ｂは、録画部２１によってコンテンツ記憶部２２に書
き込まれる。また、コンテンツ２２ａと付加情報２２ｂは、再生部２３によってコンテン
ツ記憶部２２から読み出される。
【００１３】
上記のように構成された、本発明の実施形態に係るテレビ放送受信装置の各部の機能に
ついて図１を参照して説明する。
【００１４】
入力装置１２は、複数のキースイッチからなり、使用者が操作したキースイッチを識別
するコード信号を制御部１１へ通知する。なお、入力装置１２は、リモコンであって、テ
レビ放送受信装置本体と、例えば赤外線によって通信するとしても良い。
【００１５】
チューナ部１３は、制御部１１によって起動され、放送局（図示せず）から送信され、
アンテナ１３ａによって受信された高周波信号から制御部１１によって指示されたチャン
ネル番号のチャンネルの信号を選択する。そして、選択された高周波信号を中間周波数の
信号に変換し、変換された信号を復調することによってデジタル放送されたコンテンツを
得る。このコンテンツの形式については後述する。
【００１６】
なお、チューナ部１３は、接続部（図示せず）を有し、その接続部に接続されたケーブ
ルを介して高周波信号を受信しても良い。この場合、装置は、アンテナ１３ａを有しない
構成でも良い。なお、上記ケーブルは、第２のアンテナ（図示せず）に接続されていても
良く、また、有線放送装置（図示せず）に接続されていても良い。
【００１７】
ＤＥＭＵＸ部１４は、チューナ部１３によって得られたコンテンツ、または、再生部２
３によって得られたコンテンツを受信して、そのコンテンツを映像信号と、音声信号と、
データ信号とに分離する。そして、分離された映像信号及び音声信号をデコーダ部１５に
送信する。更に、分離されたデータ信号をＤＳＭＣＣ部１６に送信する。また、得られた
コンテンツを録画部２１に送信する。
【００１８】
デコーダ部１５は、映像信号及び音声信号を受信して、復号する。そして、復号された
映像信号を表示部１８ａに表示させ、更に、復号された音声信号をスピーカ１８ｂから音
声として発生させる。なお、映像信号は、例えばＭＰＥＧ−４やＨ．２６４などの符号化
方式で符号化され、音声信号は、例えばＡＡＣなどの符号化方式で符号化されて、それぞ
れ放送局から送信される。
【００１９】
ＤＳＭＣＣ部１６は、データ信号を受信して、復号する。そして、復号されたデータ信
号をブラウザ部１７へ送信する。また、復号されたデータ信号に含まれるイベント信号を
検出して、イベント信号が検出されたことを録画部２１へ通知する。なお、復号されたデ
ータ信号は、後述するように、ＢＭＬ（Broadcast Markup Language）言語で記述された
コンテンツである。
【００２０】
ブラウザ部１７は、ＢＭＬブラウザであって、受信されたＢＭＬ言語で記述されたコン
テンツをブラウザ部１７内に記憶する。そのコンテンツには、後述するように、表示部１
８ａに表示され、または、スピーカ１８ｂから音声として発生されるメッセージを示す信
号と、例えば、上記表示及び音声の発生を制御するイベントを示す信号とが含まれている
。そして、ブラウザ部１７は、受信されたＢＭＬ言語で記述されたコンテンツにイベント
が含まれていると、そのイベントに従った動作を行う。
【００２１】
イベントに従ったブラウザ部１７の動作とは、例えば、ブラウザ部１７内に記憶された
ＢＭＬ言語で記述されたコンテンツの所定のメッセージ部分（ページと称されることがあ
る。）の映像を表示部１８ａに表示させ、その部分に含まれる音声信号をスピーカ１８ｂ
に送信して音声を発生させることである。また、別の例は、ＢＭＬ言語で記述されたスク
リプトを起動することである。
【００２２】
ここで、コンテンツの映像とは、ＢＭＬ言語で静止画、動画、及び文字として記述され
ていたものを全て含む。なお、デコーダ部１５による表示と、ブラウザ部１７による表示
とは、表示部１８ａの表示画面の同じ位置に表示されないように、制御部１１によって制
御される。
【００２３】
なお、ブラウザ部１７によって参照されるコンテンツは、上記受信されたＢＭＬ言語で
記述されたコンテンツに限るものではない。例えば、データ通信部（図示せず）は、イン
ターネットを介してＷｅｂサーバ装置（図示せず）に記憶されたコンテンツを読み取り、
及び書き込みを行い、ブラウザ部１７は、データ通信部を経由してＷｅｂサーバ装置に記
憶されたコンテンツを参照しても良い。
【００２４】
表示部１８ａは、例えばＬＣＤの表示部であり、制御部１１より起動されることにより
、表示動作を開始する。そして、各部の動作に依存して、表示動作を続ける。
【００２５】
録画部２１は、テレビ放送されたコンテンツを録画する処理部であって、制御部１１に
よって起動され、ＤＥＭＵＸ部１４によって送信されたコンテンツをコンテンツ記憶部２
２にコンテンツ２２ａとして記憶させる。また、ＤＳＭＣＣ部１６によってイベントが検
出されたことの通知を受けた場合、そのイベントに係わる付加情報２２ｂを作成して、そ
の付加情報２２ｂをコンテンツ記憶部２２に記憶させる。付加情報２２ｂについては、後
で詳述する。
【００２６】
再生部２３は、コンテンツ２２ａを再生する処理部であって、制御部１１によって起動
され、コンテンツ２２ａをコンテンツ記憶部２２から読み出して、ＤＥＭＵＸ部１４に送
信する。なお、コンテンツ２２ａの如何なるシーンから送信するかは、入力装置１２の所
定のキー操作に基づいて、記憶された最初のシーンから、付加情報２２ｂを参照すること
によって得られる所定のシーンから、等であって、後述する。なお、再生部２３は、チュ
ーナ部１３と同時に動作することがないように、制御部１１によって制御される。
【００２７】
ここで、コンテンツを配信するためのトランスポートストリーム２２ｃについて図２及
び図３を用い、また付加情報２２ｂの構成について図４を用いてそれぞれ説明する。
【００２８】
図２には複数のＴＳパケットからなるトランスポートストリーム２２ｃが示されており
、このトランスポートストリーム２２ｃは、第０のＴＳパケット（Transport Packet）２
２ｄ−０と、第１のＴＳパケット２２ｄ−１と、…、第ｉのＴＳパケット２２ｄ−ｉと、
…、第ｎのＴＳパケット２２ｄ−ｎとからなる。ここで、ｎは、０以上の自然数であり、
ｉは、０以上、かつｎ以下の自然数である。
【００２９】
図３は、第ｉのＴＳパケット２２ｄ−ｉの構成の一例を示す。ここで、ｉは、０以上、
かつｎ以下の自然数である。第ｉのＴＳパケット２２ｄ−ｉは、パケット識別子２２ｅと
、パケットデータ２２ｆとからなる。パケット識別子２２ｅは、「映像信号」、「音声信
号」または「データ信号」のいずれかの値である。そして、それぞれの場合、パケットデ
ータ２２ｆは、映像信号であるか、音声信号であるか、データ信号であるかを示す。
【００３０】
図４は、付加情報２２ｂの構成の一例を示す。この付加情報２２ｂは、イベント発生位
置２２ｇと、再生開始位置２２ｈとが関連付けられた情報からなる。イベント発生位置２
２ｇは、トランスポートストリーム２２ｃの何番目のＴＳパケットにイベントが含まれて
いるかを示し、イベント発生位置２２ｇが「ｉ」であれば、第ｉのＴＳパケット２２ｄ−
ｉのパケットデータ２２ｆにイベントが含まれていることを示す。ここで、ｉは、０以上
、かつｎ以下の自然数である。また、第ｉのＴＳパケット２２ｄ−ｉのパケット識別子２
２ｅは、「データ信号」である。
【００３１】
再生開始位置２２ｈは、トランスポートストリーム２２ｃの何番目のＴＳパケットから
再生をすることが適切であるかを示し、再生開始位置２２ｈが「ｉ」であれば、第ｉのＴ
Ｓパケット２２ｄ−ｉから再生をすることが適切であることを示す。ここで、ｉは、０以
上、かつｎ以下の自然数である。
【００３２】
上記のように、イベント発生位置２２ｇと、再生開始位置２２ｈとを関連付けて記憶さ
れることにより、あるイベントが発生した時点を再生開始の手がかりとして再生すること
が容易に可能となる。ここで、イベントの発生により、ブラウザ部１７によって表示部１
８ａに表示された内容が大きく変化することがあるため、イベントが発生した時点からの
再生は、所望のシーンからの再生であることが多い。
【００３３】
また、イベントが発生した時点からの再生が必ずしも所望のシーンからの再生でない場
合であっても、所望のシーンに時間的に近いシーンからの再生になるため、その後の早送
りや、巻き戻しの処理が短い再生時間に渡る早送りや、巻き戻しであって、容易に所望の
シーンからの再生を行うことができる。
【００３４】
なお、付加情報２２ｂは、イベント発生位置２２ｇと、再生開始位置２２ｈとが関連付
けられた情報である。図４では、イベント発生位置２２ｇと、再生開始位置２２ｈとは隣
接して記憶され、また、付加情報２２ｂは連続して記憶されるように図示したが、これは
一例に過ぎない。如何なる記憶構造によって記憶されても構わない。
【００３５】
ここで、トランスポートストリーム２２ｃをＴＳパケット単位に各部へ送信する動作を
説明する。図５は、ＤＥＭＵＸ部１４が受信されたトランスポートストリーム２２ｃをＴ
Ｓパケットを単位に各部へ送信する動作のフローチャートを示す。
【００３６】
ＤＥＭＵＸ部１４は、第ｉのＴＳパケット２２ｄ−ｉを受信すると動作を開始し（ステ
ップＳ１４ａ）、そのパケットに含まれるパケット識別子２２ｅによって送信先を判断す
る（ステップＳ１４ｂ）。ここで、ｉは、０以上、かつｎ以下の自然数である。
【００３７】
即ち、そのパケット識別子２２ｅが「映像信号」または「音声信号」である場合、ＤＥ
ＭＵＸ部１４は、第ｉのＴＳパケット２２ｄ−ｉをデコーダ部１５に送信する（ステップ
Ｓ１４ｃ）。一方、そのパケット識別子２２ｅが「データ信号」である場合、第ｉのＴＳ
パケット２２ｄ−ｉをＤＳＭＣＣ部１６に送信する（ステップＳ１４ｄ）。
【００３８】
更に、上記パケット識別子２２ｅに依らず、ＤＥＭＵＸ部１４は、第ｉのＴＳパケット
２２ｄ−ｉを録画部２１に送信して（ステップＳ１４ｅ）、動作を終了する（ステップＳ
１４ｆ）。なお、ＤＥＭＵＸ部１４がいずれの処理部への送信を先にし、いずれの処理部
への送信を後にするかは任意である。また、録画部２１が動作中でない場合、ステップＳ
１４ｅの録画部２１への送信は行わない（図示せず）。
【００３９】
次に、録画部２１が付加情報２２ｂを作成し、記憶させる動作を説明する。図６は、録
画部２１が付加情報２２ｂを作成し、記憶させる動作のフローチャートを示す。録画部２
１は、ＤＳＭＣＣ部１６から第ｉのＴＳパケット２２ｄ−ｉにはイベントが含まれている
との通知を受信して、付加情報２２ｂを作成する動作を開始する（ステップＳ２１ａ）。
ここで、ｉは、０以上、かつｎ以下の自然数である。
【００４０】
そして、録画部２１は、１組の付加情報２２ｂ、即ち、イベント発生位置２２ｇと、再
生開始位置２２ｈとを作成する（ステップＳ２１ｂ）。ここで、ステップＳ２１ａで第ｉ
のＴＳパケット２２ｄ−ｉにはイベントが含まれているとの通知を受信した場合、イベン
ト発生位置２２ｇは、「ｉ」を設定する。そして、再生開始位置２２ｈは、「ｉ」または
、「ｉ」に近隣する自然数であって、例えば、「ｉ」に近隣して「ｉ」を超える自然数を
設定する。
【００４１】
そして、録画部２１は、上記のように設定されたイベント発生位置２２ｇと、再生開始
位置２２ｈとをコンテンツ２２ａの付加情報２２ｂとしてコンテンツ記憶部２２に記憶さ
せて（ステップＳ２１ｃ）、動作を終了する（ステップＳ２１ｄ）。
【００４２】
ここで、ステップＳ２１ｂで設定される再生開始位置２２ｈの説明を加える。録画部２
１によって、再生開始位置２２ｈが「ｊ」と設定された場合（ここで、ｊは、０以上、か
つｎ以下の自然数である。）、後述するように、再生部２３は、第ｊのＴＳパケット２２
ｄ−ｊから再生を開始する。
【００４３】
そのため、再生開始位置２２ｈによって示される第ｊのＴＳパケット２２ｄ−ｊのパケ
ット識別子２２ｅは、必ずしもいずれかの値に限るものではないが、「映像信号」または
「音声信号」であることが好ましい。更に、映像を早く表示部１８ａに表示させることが
好ましいため、上記のパケット識別子２２ｅは、「映像信号」であることが好ましい。録
画部２１は、パケット識別子２２ｅを参照することによって、このような「ｊ」を容易に
選択できる。
【００４４】
なお、映像信号が、フレーム内符号化された信号と、フレーム間符号化された信号とに
よって構成されている場合、録画部２１は、再生開始位置２２ｈによって示される第ｊの
ＴＳパケット２２ｄ−ｊは、そのパケットデータ２２ｆにフレーム内符号化された信号を
含むように「ｊ」を選択することが、デコーダ部１５に無用な処理を行わせないために望
ましい。
【００４５】
録画部２１は、第ｊのＴＳパケット２２ｄ−ｊを参照してこのような「ｊ」を容易に選
択することができない場合、デコーダ部１５からいずれの第ｊのＴＳパケット２２ｄ−ｊ
がフレーム内符号化された信号を含むかの通知を受け、その通知に基づいてこのような「
ｊ」を選択しても良い。
【００４６】
また、録画部２１は、再生開始位置２２ｈを記憶させないとしても良い。この処理によ
って、録画部２１の処理量を削減し、かつ、付加情報２２ｂの記憶に必要となる記憶容量
の削減ができる。なお、この場合、再生部２３は、再生開始位置２２ｈは、イベント発生
位置２２ｇと同じ値であるとすれば良い。
【００４７】
また、録画部２１は、再生開始位置２２ｈとして、２つの値を記憶させるとしても良い
。ここで、第１の再生開始位置２２ｈは、「映像信号」を含むＴＳパケットを指し、第２
の再生開始位置２２ｈは、「音声信号」を含むＴＳパケットを指す。
【００４８】
この場合、再生部２３は、第１の再生開始位置２２ｈが指すＴＳパケット以降の「映像
信号」を含むＴＳパケットを再生し、第２の再生開始位置２２ｈが指すＴＳパケット以降
の「音声信号」を含むＴＳパケットを再生する。この処理によって、録画部２１は、映像
の再生開始シーンと、音声の再生開始シーンを別個に制御することができる。
【００４９】
図４に示す付加情報２２ｂの一例では、「２」であるイベント発生位置２２ｇと、「３
」である再生開始位置２２ｈとが関連付けられて記憶されている。即ち、第２のＴＳパケ
ット２２ｄ−２にイベントが含まれており、このイベントを参照することによって、第３
のＴＳパケット２２ｄ−３から再生することが適切であることが記憶されている。即ち、
イベントが含まれているＴＳパケットの次のＴＳパケットから再生することになる。
【００５０】
更に、「５０」であるイベント発生位置２２ｇと、「５２」である再生開始位置２２ｈ
とが関連付けられて記憶されている。即ち、第５０のＴＳパケット２２ｄ−５０にイベン
トが含まれており、このイベントを参照することによって、第５２のＴＳパケット２２ｄ
−５２から再生することが適切であることが記憶されている。ここで、イベントが含まれ
ているＴＳパケットの次の次のＴＳパケットから再生することになる。
【００５１】
次に、再生部２３がコンテンツ２２ａを再生するにあたり、付加情報２２ｂを参照して
、コンテンツ２２ａであるトランスポートストリーム２２ｃの所定のＴＳパケットから再
生する制御動作を説明する。図７は、再生部２３が付加情報２２ｂを参照してコンテンツ
２２ａを再生する制御動作のフローチャートを示す。
【００５２】
なお、ここで説明する以外に、再生部２３は、コンテンツ２２ａであるトランスポート
ストリーム２２ｃの冒頭から再生する、早送り再生、即ち、所定の個数先のＴＳパケット
から再生する、及び、巻き戻し再生、即ち、所定の個数前のＴＳパケットから再生する、
処理を行うが、これらの再生処理は周知であり、説明を省略する。
【００５３】
再生部２３は、トランスポートストリーム２２ｃの所定のＴＳパケットから再生する指
示を入力して、上記付加情報２２ｂを参照した制御動作を開始する（ステップＳ２３ａ）
。この指示の入力は、例えば、入力装置１２の所定の操作による。そして、再生部２３は
、入力された指示と、ＤＥＭＵＸ部１４へ送信中の、または直前に送信したＴＳパケット
とから、次にＤＥＭＵＸ部１４へ送信するＴＳパケットを検索する（ステップＳ２３ｂ）
。
【００５４】
ここで、送信中の、または直前に送信したＴＳパケットは、トランスポートストリーム
２２ｃ中の第ｉのＴＳパケット２２ｄ−ｉであり、上記入力された指示に従って次に送信
するＴＳパケットは、トランスポートストリーム２２ｃ中の第ｍのＴＳパケット２２ｄ−
ｍであるとする。ここで、ｉ及びｍは、０以上、かつｎ以下の自然数である。
【００５５】
そして、第ｍのＴＳパケット２２ｄ−ｍに続いて、第ｍ＋１のＴＳパケット２２ｄ−ｍ
＋１、第ｍ＋２のＴＳパケット２２ｄ−ｍ＋２、…をＤＥＭＵＸ部１４へ逐次送信する動
作を続けて（ステップＳ２３ｃ）、トランスポートストリーム２２ｃの所定のＴＳパケッ
トから再生する制御動作を終了する（ステップＳ２３ｄ）。
【００５６】
ここで、ステップＳ２３ｂの検索動作を説明する。例えば、入力された指示が、「次の
イベント発生時点から再生」である場合、再生部２３は、ｉより大きく、かつ、ｉに最も
近いイベント発生位置２２ｇを付加情報２２ｂから検索する。そして、検索されたイベン
ト発生位置２２ｇと関連付けられた再生開始位置２２ｈを得る。
【００５７】
また、入力された指示が、「前のイベント発生時点から再生」である場合、再生部２３
は、ｉより小さく、かつ、ｉに最も近いイベント発生位置２２ｇを付加情報２２ｂから検
索する。そして、検索されたイベント発生位置２２ｇと関連付けられた再生開始位置２２
ｈを得る。
【００５８】
また、入力された指示が、「ｋ個目イベント発生時点から再生」である場合（ここで、
ｋは、０以上、かつｎ以下の自然数である。）、再生部２３は、イベント発生位置２２ｇ
を小さい値から大きい値へソートした際に、ｋ番目となるイベント発生位置２２ｇを付加
情報２２ｂから得る。そして、検索されたイベント発生位置２２ｇと関連付けられた再生
開始位置２２ｈを得る。なお、この動作で実際にソートを行うか否かは、付加情報２２ｂ
の記憶構造に依存するので、ソートすることもあり、しないこともある。
【００５９】
そして、上記のような検索によって得られた再生開始位置２２ｈをｍとし、再生部２３
は、第ｍのＴＳパケット２２ｄ−ｍをＤＥＭＵＸ部１４へ送信する。
【００６０】
例えば、野球やサッカーなどのスポーツ中継のテレビ番組では、得点などをデータ信号
として放送し、得点などが変化するにつれて、イベントの発生によって得点などを実時間
で更新しつつ表示部１８ａに表示させることが可能である。また、野球のイニングの変化
の度に、イベントの発生によって参考情報を実時間で更新しつつ表示部１８ａに表示させ
ることが可能である。そこで、イベントが発生した時刻に放送されたシーンから再生する
処理によって、所望のシーンからの再生が可能となる。
【００６１】
以上の説明は、付加情報２２ｂは、イベント発生位置２２ｇと、再生開始位置２２ｈと
が関連付けられた情報からなり、イベント発生位置２２ｇは、トランスポートストリーム
２２ｃの何番目のＴＳパケットでイベントが発生したかを示し、再生開始位置２２ｈは、
トランスポートストリーム２２ｃの何番目のＴＳパケットから再生をすることが適切であ
るかを示すとしたが、これに限るものではない。
【００６２】
例えば、イベント発生位置２２ｇは、コンテンツ２２ａの録画開始からイベントが発生
するまでの時間であり、再生開始位置２２ｈは、コンテンツ２２ａの録画開始から再生を
することが適切であるシーンまでの時間としても良い。この場合、何番目のＴＳパケット
であるかに代えて、コンテンツ２２ａの録画開始からの時間を用いることにより、上記説
明した動作が可能である。
【００６３】
また、付加情報２２ｂに、再生開始位置２２ｈで示されるＴＳパケットに含まれる映像
信号を復号した復号画像（フレーム）を併せて関連付けて記憶させても良い。このように
記憶させることにより、再生部２３が所定のＴＳパケットから再生する場合、映像信号を
復号する処理を行わずに、直ちに記憶された復号画像を表示部１８ａに表示させることが
できる。
【００６４】
また、以上の説明は、本発明をテレビ放送受信装置に適用した例によって行ったが、こ
れに限るものではない。本発明は、テレビ放送録画装置及びテレビ放送再生装置に適用す
ることが当然に可能である。また、装置は、固定型であることを要しない。例えば、移動
通信端末装置などに組み込まれた、携帯型の装置であっても良い。本発明は以上の構成に
限定されるものではなく、種々の変形が可能である。
【図面の簡単な説明】
【００６５】
【図１】本発明の実施形態に係るテレビ放送受信装置の構成を示すブロック図。
【図２】本発明の実施形態に係るテレビ放送受信装置に記憶されるコンテンツであるトランスポートストリームの構成の一例を示す図。
【図３】本発明の実施形態に係るテレビ放送受信装置に記憶される第ｉのＴＳパケットの構成の一例を示す図。
【図４】本発明の実施形態に係るテレビ放送受信装置に記憶される付加情報の構成の一例を示す図。
【図５】本発明の実施形態に係るＤＥＭＵＸ部が受信されたトランスポートストリームをＴＳパケット毎に各部へ送信する動作のフローチャート。
【図６】本発明の実施形態に係る録画部が付加情報を作成する動作のフローチャート。
【図７】本発明の実施形態に係る再生部が付加情報を参照してコンテンツを所定のシーンから再生する制御動作のフローチャート。
【符号の説明】
【００６６】
１４  ＤＥＭＵＸ部
１５  デコーダ部
１６  ＤＳＭＣＣ部
１７  ブラウザ部
２１  録画部
２２  コンテンツ記憶部
２２ａ  コンテンツ
２２ｂ  付加情報
２２ｃ  トランスポートストリーム
２２ｄ−ｉ  第ｉのＴＳパケット
２２ｅ  パケット識別子
２２ｆ  パケットデータ
２２ｇ  イベント発生位置
２２ｈ  再生開始位置
２３  再生部
【図１】
2008172408.tif 000003
【図２】
2008172408.tif 000004
【図３】
2008172408.tif 000005
【図４】
2008172408.tif 000006
【図５】
2008172408.tif 000007
【図６】
2008172408.tif 000008
【図７】
2008172408.tif 000009